(57)【要約】      （修正有）【課題】ハウジングが絶縁性本体にしっかりと固着されるＵＳＢコネクタを提供する。【解決手段】電気コネクタ１００は、絶縁性本体と、前記絶縁性本体に挿入される複数の導電端子と、ハウジング６とを備える。前記絶縁性本体は、前記相手方向と直交する方向に沿って延在するスロット１１０６が形成される。各導電端子は、前記収納スペースに収納される接触部と、前記絶縁性本体から延出する半田接続部と、を有する。前記ハウジングは、前記絶縁性本体を遮蔽し、前記絶縁性本体のスロットに挿入される延在壁６２０を含む。前記絶縁性本体のスロットには、前記ハウジングの延在壁６２０に当接する複数の凸状部片が設けられる。【選択図】図４
0003161442.tif 000002
【実用新案登録請求の範囲】
【請求項１】
相手コネクタが挿入される収納スペースを含む電気コネクタであって、
前記相手コネクタが挿入される方向である相手方向と直交する方向に沿って延在するスロットが形成される絶縁性本体と、
前記絶縁性本体に挿入され、前記収納スペースに収納される接触部と、前記絶縁性本体から延出する半田接続部と、を有する複数の導電端子と、
前記絶縁性本体を遮蔽し、前記絶縁性本体のスロットに挿入される延在壁を含むハウジングと、
を備え、前記絶縁性本体のスロットには、前記ハウジングの延在壁に当接する複数の凸状部片が設けられることを特徴とする電気コネクタ。
【請求項２】
前記絶縁性本体の凸状部片が前記相手方向に沿って延在し、上表面が弓形に設けられることを特徴とする請求項１に記載の電気コネクタ。
【請求項３】
前記ハウジングが頂壁と、底壁と、一対の側壁とを有し、前記延在壁が前記ハウジングの底壁の後端に設けられることを特徴とする請求項１に記載の電気コネクタ。
【請求項４】
前記絶縁性本体が前端部と、後端部と、頂部と、底部と、一対の側部とを有し、前記スロットが前記絶縁性本体の前端部に前記一対の側部の間に形成され、前記ハウジングの延在壁には、前記絶縁性本体の前記側部と係合する開口が形成されることを特徴とする請求項３に記載の電気コネクタ。
【請求項５】
前記ハウジングには複数の係合孔が形成され、前記絶縁性本体には前記ハウジングの係合孔に熱溶接によって係合される複数の係合部片が設けられることを特徴とする請求項４に記載の電気コネクタ。
【請求項６】
前記絶縁性本体が第１、第２本体を含み、前記スロットが前記第１本体に形成され、前記第１本体には、凹部が形成される第１舌板が設けられ、前記第２本体には、前記第１本体の凹部に収納される第２舌板が設けられ、前記導電端子が前記第２舌板に配置され、前記第１、第２舌板が前記収納スペースに収納されることを特徴とする請求項４に記載の電気コネクタ。
【請求項７】
前記第１舌板が第１上表面と第１下表面とを有し、前記凹部が第１上表面に形成され、第２舌板が第２上表面と第２下表面とを具備し、第１、第２上表面が面一になることを特徴とする請求項６に記載の電気コネクタ。
【請求項８】
前記第１本体の凹部の両側には、嵌合溝が形成される一対の規制部が設けられ、前記第２舌板の両側には、前記嵌合溝に挿入される一対のリブが設けられることを特徴とする請求項６に記載の電気コネクタ。
【考案の詳細な説明】
【技術分野】
【０００１】
本考案は、電気コネクタに関し、特に、ＵＳＢ（Ｕｎｉｖｅｒｓａｌ  Ｓｅｒｉａｌ  Ｂｕｓ）規格に準拠した電気コネクタに関するものである。
【背景技術】
【０００２】
従来技術のＵＳＢコネクタは、絶縁性本体と、絶縁性本体に収納される複数の導電端子と、絶縁性本体を遮蔽するハウジングとを備える。絶縁性本体は、主体部と、主体部から前向きに突出する舌板とを有する。前記導電端子は、前記舌板に配置される。前記ハウジングは、頂壁と、底壁と、一対の側壁とを含む。舌板の下方には、ハウジングの底壁を収納するためのスロットが形成される。
【先行技術文献】
【特許文献】
【０００３】
【特許文献１】中国実用新案第２０１２０４２７５号明細書
【考案の概要】
【考案が解決しようとする課題】
【０００４】
スロットの寸法がハウジングの底壁の寸法より大きければ、ハウジングの底壁がスロットに揺動する。スロットの寸法がハウジングの底壁の寸法より小さければ、ハウジングの底壁がスロットに挿入できない。
【０００５】
そこで本考案は、上述した従来技術の問題に鑑み、ハウジングが絶縁性本体にしっかりと固着されるＵＳＢコネクタを提供することを目的とする。
【課題を解決するための手段】
【０００６】
前記目的を達成するために、本考案の電気コネクタは、相手コネクタが相手方向に沿って挿入される収納スペースを含む。前記電気コネクタは、絶縁性本体と、前記絶縁性本体に挿入される複数の導電端子と、ハウジングとを備える。前記絶縁性本体は、前記相手方向と直交する方向に沿って延在するスロットが形成される。各導電端子は、前記収納スペースに収納される接触部と、前記絶縁性本体から延出する半田接続部と、を有する。前記ハウジングは、前記絶縁性本体を遮蔽し、前記絶縁性本体のスロットに挿入される延在壁を含む。前記絶縁性本体のスロットには、前記ハウジングの延在壁に当接する複数の凸状部片が設けられる。
【考案の効果】
【０００７】
従来技術と比べると、本考案は以下の長所を有する。本考案のスロットには凸状部片が設けられる。ハウジングの延在壁とスロットの底面の間には、弾力変形可能なスペースが形成される。ハウジングの延在壁がスロットに挿入される場合、延在壁の弾力変形によって、延在壁が前記スロットにしっかりと固着できる。
【図面の簡単な説明】
【０００８】
【図１】本考案の電気コネクタの組立斜視図である。
【図２】図１に示す電気コネクタの別の組立斜視図である。
【図３】図１に示す電気コネクタの前視図である。
【図４】図１に示す電気コネクタの線Ａ―Ａに沿った断面図である。
【図５】図１に示す電気コネクタの線Ｂ―Ｂに沿った断面図である。
【図６】本考案の電気コネクタの分解斜視図である。
【図７】本考案の電気コネクタの導電端子と第２本体との分解斜視図である。
【図８】図７に示す導電端子と第２本体との別の分解斜視図である。
【図９】図５に示す第１本体の斜視図である。
【考案を実施するための形態】
【０００９】
図１〜図９を参照すると、電気コネクタ１００は、ＵＳＢ２．０或いはＵＳＢ３．０プラグが接続されるＵＳＢソケットコネクタである。電気コネクタ１００は、絶縁性本体と、絶縁性本体に収納される複数の導電端子と、絶縁性本体を遮蔽するハウジング６とを備える。
【００１０】
図５、図６及び図９に示すように、絶縁性本体は、第１本体１と、第２本体２とを有する。第１本体１が前端部１１０４と、後端部１１０５と、頂部１１０１と、底部１１０２と、一対の側部１１０３とを有する。第１本体１は、第１主体部１１と、第１主体部１１から前向きに突出する第１舌板１２と、前記第１舌板１２と平行する支持部１３とを有する。第１主体部１１には、第１収納穴１１１と、第２収納穴１１２と、前記第１、第２収納穴１１１、１１２の間に形成される阻隔板１１７とが備えられる。第２収納穴１１２の間には中間壁１１３が設けられる。第１舌板１２と支持部１３の間にはスロット１１０６が形成される。図９に示すように、スロット１１０６の底部には、前後に延在する複数の凸状部片１１０７が設けられる。各凸状部片１１０７の上表面は弓形に形成される。
【００１１】
第１舌板１２は、対向する第１上表面１２１と第１下表面１２２とを含む。第１舌板１２の第１上表面１２１には、一対の規制部１２６と、前記一対の規制部１２６の間に形成される凹部１２３とが形成される。前記凹部１２３の前端には複数の間隔部１２５が設けられる。二つの間隔部１２５の間には凹所１２４が形成される。凹所１２４は、凹部１２３より高い。図３に示すように、各規制部１２６には、前記凹部１２３に向かって開放する嵌合溝１２７が形成される。第１主体部１１の頂部１１０１と側部１１０３にはそれぞれ複数の凸状部片１１４と、係合部片１１５とが設けられる。図５と図６に示すように、第１主体部１１の側部１１０３には後向きに開口する凹口１１６が形成される。第１主体部１１の側部１１０３の内表面には凹口１１８が形成される。
【００１２】
図７及び図８に示すように、第２本体２は、第２主体部２１と、第２主体部２１から前向きに突出する第２舌板２２とを有する。第２主体部２１の前端部２１２には、上下に延在する複数のスリット２１４が形成される。第２主体部２１の後端部２１３には、上下に延在する複数の固持溝２１５が形成される。第２舌板２２の両側には一対のリブ２２７が設けられる。第２舌板２２は、第２上表面２２１と第２下表面２２２とを含む。第２舌板２２の第２上表面２２１には、複数の第１端子溝２２４が形成される。第２舌板２２の第２下表面２２２には、複数の挿入溝２２５が形成される。第２舌板２２の前面には、複数の凹溝２２６が形成される。
【００１３】
図７及び図８に示すように、導電端子は、ＵＳＢ２．０の規格に準拠する四つの第１端子グループ３と、五つの第２端子グループ４とを備える。第１、第２端子グループ３，４とは、ＵＳＢ３．０の規格に準拠する。第１端子グループ３の各端子は、第１固持部３１と、弓形の第１接触部３２と、第１半田接続部３３とを有する。第２端子グループ４の各端子は、第２固持部４１と、平板状の第２接触部４２と、第２半田接続部４３とを有する。
【００１４】
光部材５は、光信号を受信する一対のレシーバー５２と、前記一対のレシーバーの間に設けられる凹溝５３とを有する。
【００１５】
ハウジング６は金属材料によって製造される。ハウジング６は、収納スペース６０と、前記収納スペース６０を包囲する頂壁６１と、頂壁６１と対向する底壁６２と、頂壁６１と底壁６２とを連接する一対の側壁６３とを備える。頂壁６１の後端には複数の凹口６１４が形成される。底壁６２の後端には延在壁６２０が設けられる。延在壁６２０には、前記側壁６３から離れる一対の開口６２２が形成される。一対の側壁６３の後端には、一対の阻止部６３６が設けられる。側壁６３には、複数の係合孔６３５が形成される。
【００１６】
図１〜図９に示すように、電気コネクタ１００を取り付ける場合、第１、第２端子グループ３，４は第２本体２に装着される。第１端子グループ３は、第２本体２の第１端子溝２２４と固持溝２１５に挿入される。第１端子グループ３の第１接触部３２が第１端子溝２２４から突出する。第２端子グループ４が、挿入溝２２５及びスリット２１４に挿入される。
【００１７】
第２本体２が第１本体１に装着される。図４及び図９に示すように、第２本体２の第２主体部２１が第１収納穴１１１に収納される。第２舌板２２が第１舌板１２の凹部１２３に装入される。第２舌板２２の一対のリブ２２７が第１舌板１２の嵌合溝１２７に挿入される。第２舌板２２の上向きの運動が阻止される。第２端子グループ４の第２接触部４２が第１舌板１２の凹所１２４に収納される。第２舌板２２は、一対の規制部１２６と凹所１２４とに規制される。第２舌板２２の第２上表面２２１と第１舌板１２の第１上表面１２１とは、面一になる。
【００１８】
光部材５が第１本体１の第２収納穴１１２に収納される。絶縁性本体はハウジング６の収納スペース６０に収納される。ハウジング６の延在壁６２０が第１本体１のスロット１１０６に挿入される。凸状部片１１０７がハウジング６の延在壁６２０の底面に当接する。ハウジング６の開口６２２が第１主体部１１の側部１１０３と係合する。ハウジング６の凹口６１４が第１本体１の凸状部片１１４と係合する。前記第１本体１の係合部片１１５が前記ハウジング６の係合孔６３５に熱溶接によって係合される。
【００１９】
前記第１本体１のスロット１１０６には複数の凸状部片１１０７が設けられる。ハウジング６の延在壁６２０とスロット１１０６の底面の間には、弾力変形可能なスペースが形成される。ハウジング６の延在壁６２０がスロット１１０６に挿入される場合、前記延在壁６２０の弾力変形によって、延在壁６２０が前記スロット１１０６にしっかりと固着できる。
【００２０】
以上、本考案について好ましい実施形態を参照して詳細に説明したが、実施形態はあくまでも例示的なものであり、これらに限定されるものではない。また、本考案に基づき成し得る細部の修正或いは変更などは、いずれも本考案の技術的範囲に属するものである。
【符号の説明】
【００２１】
１００  電気コネクタ
１  第１本体
１１  第１主体部
１１０１  頂部
１１０２  底部
１１０３  側部
１１０４  前端部
１１０５  後端部  
１１０６  スロット
１１０７  凸状部片
１１１  第１収納穴
１１２  第２収納穴
１１３  中間壁
１１４  凸状部片
１１５  係合部片
１１６，１１８  凹口
１１７  阻隔部
１２  第１舌板
１２１  第１上表面
１２２  第１下表面
１２３  凹部
１２４  凹所
１２５  間隔部
１２６  規制部
１２７  嵌合溝
１３  支持部
２  第２本体
２１  第２主体部
２１１  係合部片
２１２  前端面
２１３  後端面
２１４  スリット
２１５  固持溝
２２  第２舌板
２２１  第２上表面
２２２  第２下表面
２２４  第１端子溝
２２５  挿入溝
２２６  凹溝
２２７  リブ
３  第１端子グループ
３１  第１固持部
３２  第１接触部
３３  第１半田接続部
４  第２端子グループ
４１  第２固持部
４２  第２接触部
４３  第２半田接続部
５  光部材
５２  レシーバー
５３  凹溝
６  ハウジング
６０  収納スペース
６１  頂壁
６１４  凹口
６２  底壁
６２０  延在壁
６２２  開口
６３  側壁
６３２  取付脚
６３３  取付部
６３５  係合孔
６３６  阻止部
【図１】
0003161442.tif 000003
【図２】
0003161442.tif 000004
【図３】
0003161442.tif 000005
【図４】
0003161442.tif 000006
【図５】
0003161442.tif 000007
【図６】
0003161442.tif 000008
【図７】
0003161442.tif 000009
【図８】
0003161442.tif 000010
【図９】
0003161442.tif 000011